(57)【要約】【課題】本発明は、ハンガーに関する。【解決手段】本発明は、衣服の上側（肩及びアーム）を支持するハンガーに、衣服の下側を支持する衣服胴体支持部を着脱可能に備えることにより、単純なハンガーの構造でも衣服の上衣を上下左右に素早くきれいに畳んで整理することができるだけでなく、たんすなどの保管スペースを最大限効率的に利用できるハンガーを提供する。【選択図】図１
2021508509.tif 000002
【特許請求の範囲】
【請求項１】
引っ掛け溝が形成されるフック部と、
前記フック部から左右側下方に延長して衣服の肩が支持される一対の肩支持部と、前記一対の肩支持部の先端に内外側に水平回転するように連結される一対のアーム支持部と、
一側には、前記衣服の胴体下側部を真っ直ぐに挟んで支持する挟み溝部が備えられ、他側には、前記フック部に締結される締結部を備える衣服胴体支持部と、を含むことを特徴とするハンガー。
【請求項２】
前記フック部は、上側には前記引っ掛け溝が形成され、下側には前記一対の肩支持部に対して水平回転が可能なネック部が形成され、
前記衣服胴体支持部の締結部は、その一端部が前記ネック部に着脱可能に結合され、その他端部は前記挟み溝部に回転可能に結合されることを特徴とする請求項１に記載のハンガー。
【請求項３】
前記衣服胴体支持部の挟み溝部は、「逆コ」字状であり、その内側に前記衣服の胴体下側部の一定位置に真っ直ぐに（水平状に）挟まれることを特徴とする請求項２に記載のハンガー。
【請求項４】
前記ネック部には、「Ｌ」字状の結合突起が形成され、前記締結部には、前記結合突起に対応する結合孔が形成されて着脱可能であることを特徴とする請求項２に記載のハンガー。
【請求項５】
前記一対のアーム支持部は、前記一対の肩支持部の先端に内外側に水平回転が可能に連結されることを特徴とする請求項１に記載のハンガー。
【請求項６】
前記一対のアーム支持部の内側への回転時には、前記一対の肩支持部に対して下方に傾斜して回転することを特徴とする請求項５に記載のハンガー。
【請求項７】
前記一対のアーム支持部は、前記衣服を畳む際に対向するように内側に１８０度回転させて衣服の左右側のアーム部分だけでなく、前記衣服の胴部左右両側の一部分が内側に対向して折り畳まれるようにし、
前記衣服胴体支持部は、前記「逆コ」字状の前記挟み溝部の内側に衣服の胴体下側部の一定位置に真っ直ぐに挟んだ状態で前記衣服胴体支持部の全体を上側に持ち上げ、前記締結部の結合孔が前記ネック部の結合突起に対応するように垂直方向に方向転換し、前記締結部の結合孔及び前記ネック部の結合突起を介して締結した状態で、前記「逆コ」字状の挟み溝部を前記締結部に対して内側に回転して「逆コ」字状の挟み溝部を通じて外側に露出した衣服の胴体下側端部の全体を内側に見えないように折り畳んで衣服のアーム部分及び胴部を畳んで整理することを特徴とする請求項４に記載のハンガー。
【発明の詳細な説明】
【技術分野】
【０００１】
本発明は、ハンガーに関し、より詳しくは、衣服の上側（肩及びアーム）を支持するハンガーに、衣服の下側を支持する衣服胴体支持部を着脱可能に備えることにより、単純なハンガーの構造でも衣服の上衣の上下左右を素早くきれいに畳んで整理することができるだけでなく、たんすなどの保管スペースを最大限効率的に利用することができるハンガーに関する。
【背景技術】
【０００２】
一般的に、衣類や衣服は上衣と下衣に分けられ、衣服の上衣の場合は、胴部分とアーム部分が形成されており、これをしわを作らず平坦に折り畳んで保管することは非常に難しく、不便な点があった。
【０００３】
一般家庭では、ワイシャツのような上衣は、このようなしわを最小化して洗濯した後、別のハンガーに掛けてたんすの棒や輪などに引っ掛けて仕舞っておくが、この場合、上衣の保管スペースが相対的に増加してしまい、効率的な空間活用が難しい点があった。
【０００４】
したがって、衣服の上衣は、長方形に畳んでたんすの内部に多数個積層する形で保管することが一般的である。特に、旅行や出張などの長期の外泊のために衣服を用意する場合、上衣はスーツケースの内部に畳んで保管することが一般的である。
【０００５】
このように上衣を畳んで保管すると、上衣の畳み作業自体が相対的に難しいだけでなく、手間や時間がかかるという問題があった。
【０００６】
このような問題は、一般家庭だけでなく、衣料品店でも上衣を陳列台などの棒や輪などに引っ掛けて陳列したり保管する過程で頻繁に発生している。
【発明の概要】
【発明が解決しようとする課題】
【０００７】
本発明は、上述した問題を解決するためのものであり、本発明の目的は、衣服の上側（肩及びアーム）を支持するハンガーに、衣服（上衣）の下側を支持する衣服胴体支持部を着脱可能に備えることにより、単純なハンガーの構造でも衣服の上衣を上下左右に素早くきれいに畳んで整理することができるだけでなく、保管スペースを最大限効率的に利用することができるハンガーを提供することである。
【０００８】
本発明の他の目的は、フック部を肩支持部に対して水平方向に回転（３６０度）可能に製作して、ハンガーに支持される衣服の前後方向の調整を可能にすることにより、衣服を畳む作業の利便性を向上させることができるハンガーを提供することである。
【０００９】
本発明の又他の目的は、衣服の下側を支持する衣服胴体支持部は、回転可能な「逆コ」字状の挟み溝とハンガーネック部に締結可能な締結部とで形成することにより、簡単な手作業によって衣服の胴体下側部を持ち上げて容易に畳んで整理することができるハンガーを提供することである。
【課題を解決するための手段】
【００１０】
このような目的を達成するために、本発明に係る衣服の整理が可能なハンガーは、引っ掛け溝が形成されるフック部と、前記フック部から左右側下方に延長して衣服の肩が支持される一対の肩支持部と、前記一対の肩支持部の先端に内外側に水平回転するように連結される一対のアーム支持部と、一側には前記衣服の胴体下側部を真っ直ぐに（水平状に）挟んで支持する挟み溝部が備えられ、他側には前記フック部に締結される締結部を備える衣服胴体支持部と、を含むことを特徴とする。
【００１１】
ここで、前記フック部は、上側には前記引っ掛け溝が形成され、下側には前記一対の肩支持部に対して水平回転が可能なネック部が形成され、前記衣服胴体支持部の締結部は、その一端部が前記ネック部に着脱可能に結合され、その他端部は前記挟み溝部に回転可能に結合されることが望ましい。
【００１２】
また、前記衣服胴体支持部の挟み溝部は、「逆コ」字状であり、その内側に前記衣服の胴体下側部の一定位置に真っ直ぐに挟むことが望ましい。
【００１３】
また、前記ネック部には「Ｌ」字状の結合突起が形成され、前記締結部には前記結合突起に対応する結合孔が形成されて着脱可能であることが望ましい。
【００１４】
また、前記一対のアーム支持部は、前記一対の肩支持部の先端に内外側に水平回転が可能に連結されることが望ましい。
【００１５】
また、前記一対のアーム支持部の内側への回転時には、前記一対の肩支持部に対して下方に傾斜するように回転されることが望ましい。
【００１６】
また、前記一対のアーム支持部は、前記衣服を畳む際に対向するように内側に１８０度回転させて、衣服の左右側のアーム部分だけでなく、前記衣服の胴部左右両側の一部分が内側に対向して折り畳まれるようにし、前記衣服胴体支持部は、前記「逆コ」字状の前記挟み溝部の内側に衣服の胴体下側部の一定位置に真っ直ぐに挟まれた状態で前記衣服胴体支持部の全体を上側に持ち上げ、前記締結部の結合孔が前記ネック部の結合突起に対応するように垂直方向に方向転換し、前記締結部の結合孔及び前記ネック部の結合突起を介して締結した状態で、前記「逆コ」字状の挟み溝部を前記締結部に対して内側に回転して「逆コ」字状の挟み溝部を通じて外側に露出した衣服の胴体下側端部の全体を内側に見えないように折り畳むことにより、衣服のアーム部分及び胴部を畳んで整理することが望ましい。
【発明の効果】
【００１７】
上述したような本発明に係るハンガーによると、衣服の上側（肩及びアーム）を支持するハンガーに衣服の下側を支持する衣服胴体支持部を着脱可能に備えることにより、単純なハンガーの構造でも衣服の上衣を上下左右に素早くきれいに畳んで整理することができるだけでなく、たんすなどの保管スペースを最大限効率的に使用することができる効果がある。
【００１８】
また、フック部を肩支持部に対して水平方向に回転（３６０度）可能に製作して、ハンガーに支持される衣服の前後方向の調整を可能にすることにより、衣服を畳む作業の利便性を向上させることができる利点もある。
【００１９】
また、衣服の下側を支持する衣服胴体支持部は、回転可能な「逆コ」字状の挟み溝とハンガーネック部に締結可能な締結部とで形成することにより、簡単な手作業によって衣服の胴体下側部を持ち上げて容易に畳んで整理することができる利点もある。
【図面の簡単な説明】
【００２０】
【図１】本発明の一実施例によるハンガーを示す結合斜視図である。
【図２】本発明の一実施例によるハンガーを示す着脱前の斜視図である。
【図３】本発明の一実施例によるハンガーの結合状態を示す側断面図である。
【図４ａ】本発明の一実施例によるハンガーを用いて衣服のアーム部分及び胴部の畳み方を順次示す図である。
【図４ｂ】本発明の一実施例によるハンガーを用いて衣服のアーム部分及び胴部の畳み方を順次示す図である。
【図４ｃ】本発明の一実施例によるハンガーを用いて衣服のアーム部分及び胴部の畳み方を順次示す図である。
【図４ｄ】本発明の一実施例によるハンガーを用いて衣服のアーム部分及び胴部の畳み方を順次示す図である。
【図４ｅ】本発明の一実施例によるハンガーを用いて衣服のアーム部分及び胴部の畳み方を順次示す図である。
【発明を実施するための形態】
【００２１】
本発明は、その技術的思想や主要な特徴から逸脱することなく、他の様々な形態に実施することができる。したがって、本発明の実施例は、単なる例示にすぎず、限定的に解釈してはならない。
【００２２】
第１、第２などの用語は、様々な構成要素を説明するために使用することができるが、前記構成要素らは、前記用語によって限定されない。
【００２３】
前記用語は、１つの構成要素を他の構成要素から区別するためにのみ使用される。例えば、本発明の権利範囲を逸脱しなく、第１の構成要素は、第２の構成要素として命名することができ、同様に第２の構成要素も第１構成要素として命名することができる。
【００２４】
ある構成要素が他の構成要素に「連結されて」いる、「接続されて」いるなどと言及されたときには、その他の構成要素に直接連結されているか、または接続されている場合もあるが、その間に他の構成要素が存在する可能性もあると理解しなければならない。
【００２５】
一方、ある構成要素が他の構成要素に「直接連結されて」いる、「直接接続されて」いるなどと言及されたときには、その間に他の構成要素が存在しないと理解しなければならない。
【００２６】
本出願で使用した用語は、単に特定の実施例を説明するために使用されたものであり、本発明を限定するのではない。単数の表現は、文脈上明らかに違った意味合いでない限り、複数の表現を含む。
【００２７】
本出願で、「含む」、「備える」、「有する」などの用語は、明細書上に記載されている特徴、数字、段階、動作、構成要素、部品またはこれらを組み合わせたものが存在することを指定しようとするためのものであり、１つまたはそれ以上の他の特徴、数字、段階、動作、構成要素、部品またはこれらを組み合わせたものの存在または付加の可能性を予め排除しないものと理解されるべきである。
【００２８】
他の方法で定義しない限り、技術的または科学的な用語を含めて、ここで使用されるすべての用語は、本発明が属する技術分野において通常の知識を有する者によって一般的に理解されるものと同じ意味を有している。
【００２９】
一般的に使用される辞典に定義されているような用語は、関連技術の文脈上有する意味と一致する意味を有するものと解釈されるべきであり、本出願で明白に定義しない限り、理想的または過度に形式的な意味に解釈されない。
【００３０】
以下、本発明が属する技術分野において通常の知識を有する者が本発明を容易に実施できる程度に詳細に説明するために、本発明の最も望ましい実施例を添付の図面を参照して詳細に説明する。
【００３１】
図１は、本発明の一実施例によるハンガーを示す結合斜視図であり、図２は、本発明の一実施例によるハンガーを示す着脱前の斜視図であり、図３は、本発明の一実施例によるハンガーの結合状態を示す側断面図である。
【００３２】
図示したように、本発明の一実施例による、衣服を畳んで整理することができるハンガー１００は、大きく分けて、フック部１０、一対の肩支持部２０、一対のアーム支持部３０、および衣服胴体支持部４０を含んでなる。
【００３３】
すなわち、本発明の一実施例によるハンガー１００は、上側には引っ掛け溝１１が形成され、下側にはネック部１２が形成されるフック部１０と、前記フック部１０から左右側下方に延長して衣服の肩が支持される一対の肩支持部２０と、前記一対の肩支持部の先端に回転されるように連結される一対のアーム支持部３０と、一側には前記衣服の胴体下側部を真っ直ぐに（水平状に）挟んで支持する挟み溝部４１が備えられ、他側には前記ネック部１２に締結される締結部４２を備える衣服胴体支持部４０と、を含んでなる。
【００３４】
ここで、「左側」、「右側」、「上側」、「下側」、「水平方向」、「前後」などは、相対的な位置や方向を区別して称するためのものであり、絶対的な位置や方向を意味するものではない。
【００３５】
また、本発明において、前記衣服は、ワイシャツなどの上衣が望ましいが、その種類を限定するものではない。
【００３６】
前記フック部１０は、本発明のハンガー１００をたんすの棒や輪などに引っ掛けるためのものであり、上側にはたんすの棒や輪などに引っ掛けることができるフック形の引っ掛け溝１１が形成され、下側には一対の肩支持部２０と回転可能に一体に連結することができるネック部１２を備えている。
【００３７】
ここで、前記ネック部１２は、前記肩支持部２０に対して水平方向に回転（３６０度）可能に製作して、ハンガー１００に支持される衣服の前後方向の調整を可能にすることにより、衣服を畳む作業の利便性を向上させることができるようになる。
また、前記ネック部１２には、ほぼ「Ｌ」字状の結合突起１３が前方向に突出形成され、後述する締結部４２に形成された結合孔４３に対応して容易に着脱可能に結合することができるようになる（図３参照）。
【００３８】
前記一対の肩支持部２０は、図１及び図２に示すように、正面から見ると、フック部１０の下側のネック部１２を中心に左右両側にそれぞれ連結されて衣服の支持時に衣服の肩が支持されるようになっている。
【００３９】
すなわち、一対の肩支持部２０は、左側の肩支持部と右側の肩支持部とからなり、それぞれの衣服の左側の肩に相当する部分と右側の肩に相当する部分を支持する役割をする。
【００４０】
前記一対のアーム支持部３０は、左右側のアーム支持部からなり、それぞれの左右側の肩支持部の先端に内外側に左右方向に水平回転（１８０度）可能に連結され、それぞれの衣服の左右側のアームに相当する部分を支持し、畳む際に内側への回転（１８０度）によって支持される衣服の左右側のアーム部分（実際に衣服の胴部左右両側の一部分を含む。）を、上下中心ラインを基準に内側に折り重ねることができるようになっている。
【００４１】
このとき、一対のアーム支持部３０、すなわち、左右側のアーム支持部の内側への回転時には、左右側の肩支持部に対して少し下方に傾斜するように回転され、自然と衣服の左右側のアーム部分をフック部１０下側のネック部１２を中心に折り畳むことができるようになることが望ましい。すなわち、左右側のアーム支持部と左右側の肩支持部とが肩ラインに沿って外側下方に傾斜した形態であるので、一対のアーム支持部３０が一対の肩支持部２０に対して内側に回転するとき、左右側の肩支持部の傾斜した角度を考慮して、左右側の肩支持部に対して少し下方に傾斜するように回転することで、折り畳まれる衣服の左右側のアーム部分と衣服の胴部左右両側の一部分とが自然と正確に垂直な一直線状態に折り畳まれるので、きれいに垂直なライン形態に折り畳むことができる。
【００４２】
前記衣服胴体支持部４０は、図１及び図２に示すように、前記衣服の胴部（下側部）を真っ直ぐに挟んで支持する「逆コ」字状の挟み溝部４１と前記ネック部１２に締結される締結部４２とを備え、衣服の胴体下側部を上側に折り畳んで上述したような左右側のアーム部分と一緒に畳むことができるようになっている。
【００４３】
ここで、前記衣服胴体支持部４０の挟み溝部４１は「逆コ」字状になっており、前記衣服の胴体下側部を水平方向にスムーズに挟むことができる。
【００４４】
また、前記衣服胴体支持部４０の締結部４２は、その一端部に結合孔４３が形成されてネック部１２の「Ｌ」字状の結合突起１３に対応して全体衣服胴体支持部４０をフック部１０のネック部１２側に持ち上げた状態で、図３のように締結されるようになっており、その他端部は、前記「逆コ」字状の挟み溝部４１に上下方向に回転可能に結合され、「逆コ」字状の挟み溝部４１に挟まれた衣服の胴部下側の水平ラインを上下に回転できるようになり、衣服の胴部下側を容易に折り畳むことができるようになる。
【００４５】
図４ａ〜図４ｅは、本発明の一実施例によるハンガーを用いて衣服のアーム部分及び胴部の畳み方を順次に示す図であって、本発明の一実施例によるハンガーを用いた衣服のアーム部分及び胴部の畳み方をさらに詳細に説明する。
【００４６】
先ず、図４ａに示すように、前記衣服の胴部下側を支持する衣服胴体支持部４０を締結せずに分離した状態で、フック部１０、一対の肩支持部２０、及び一対のアーム支持部３０のみからなるハンガーに、広がっている状態の衣服の上衣をかけて支持するようにする。
【００４７】
次に、図４ｂに示すように、前記一対のアーム支持部３０、すなわち、左右側のアーム支持部を内側に１８０度回転して衣服の左右側のアーム部分だけでなく、衣服の胴部左右両側の一部分を内側に折り畳む。
【００４８】
続いて、図４ｃに示すように、分離されている衣服胴体支持部４０の「逆コ」字状の挟み溝部４１の内側に衣服の胴体下側部の一定位置を真っ直ぐに挟む。
【００４９】
このとき、全体衣服胴体支持部４０の結合孔４３が形成された締結部４２と「逆コ」字状の挟み溝部４１は、水平状態を保つようにする。
【００５０】
続いて、図４ｄに示すように、作業者が前記「逆コ」字状の挟み溝部４１の内側に前記衣服の胴体下側部の一定位置を真っ直ぐに挟んだ状態で前記衣服胴体支持部の全体４０を上側に持ち上げて、前記締結部４２が上側に向かうように垂直方向に方向転換して締結部４２に形成された結合孔４３と「Ｌ」字状の結合突起１３とを締結する。
【００５１】
続いて、図４ｅに示すように、作業者が「逆コ」字状の挟み溝部４１を回転させて前記締結部４２と平行状態にすると共に、「逆コ」字状の挟み溝部４１を介して外側に露出した衣服の胴体下側端部の全体を内側に見えないように折り畳むことで、完成する。
【００５２】
これにより、本発明に係るハンガーを多数用いて、多数の衣服（上衣）が胴体下側部分とアーム部分とをきれいに折り畳んだ状態で、フック部１０をたんすなどの棒に引っ掛けて保管スペースを確保すると共に安定した保管状態を維持することができるようになる。
【００５３】
以上で説明した本発明の実施例は例示的なものに過ぎず、本発明が属する技術分野の通常の知識を有する者であれば、これから様々な変形及び均等な他の実施例が可能であることはよく分かると考える。
【００５４】
したがって、本発明は、前記の詳細な説明に記載されている形態にのみ限定されるものではないことを理解できると考える。
【００５５】
したがって、本発明の技術的保護範囲は、添付の特許請求の範囲の技術的思想によって定められなければならない。また、本発明は、添付の特許請求の範囲によって定義される本発明の精神とその範囲内にあるすべての変形物及び均等物などを含むものと理解されるべきである。
【産業上の利用可能性】
【００５６】
本発明は、衣服の上側（肩及びアーム）を支持するハンガーに衣服の下側を支持する衣服胴体支持部を着脱可能に備えることにより、単純なハンガーの構造でも衣服の上衣を上下左右に素早くきれいに畳んで整理することができるだけでなく、たんすなどの保管スペースを最大限効率的に利用することができるので、ハンガー分野に有用に活用することができる。
【図１】
2021508509.tif 000003
【図２】
2021508509.tif 000004
【図３】
2021508509.tif 000005
【図４ａ】
2021508509.tif 000006
【図４ｂ】
2021508509.tif 000007
【図４ｃ】
2021508509.tif 000008
【図４ｄ】
2021508509.tif 000009
【図４ｅ】
2021508509.tif 000010
【国際調査報告】
2021508509.tif 000011
2021508509.tif 000012
2021508509.tif 000013
2021508509.tif 000014